(57)【要約】【課題】赤外線カメラを利用して撮影した人物の体表面温度分布を熱画像で表示して、これを男性と女性の表面体温分布データベースと比較判断することにより男性と女性を判別する人物情報取得方法を提供する。【解決手段】赤外線カメラで撮影して得られた人物のフレーム撮像データをパソコンで熱画像による体表面温度分布データ化し、これを男性と女性の表面体温分布の違いを示した熱画像パターンデータベースと比較して、その人物の性別を判別し、この判別結果データをアドレス化させてパソコンの記憶装置に読出し可能に記憶させる。【選択図】図８
2008210354.tif 000002
【特許請求の範囲】
【請求項１】
赤外線カメラで撮影して得られた人物のフレーム撮像データをパソコンで熱画像による体表面温度分布データ化し、これを男性と女性の表面体温分布の違いを示した熱画像パターンデータベースと比較して、その人物の性別を判別し、この判別結果データをアドレス化させてパソコンの記憶装置に読出し可能に記憶させることを特徴とする人物情報取得方法。
【請求項２】
アドレス化させた男女の判別結果データに撮影日時を添付し、男女別に順次パソコン内の加算回路で集計し、この集計データをパソコンの記憶装置に読出し可能に記憶させる方法が更に加わる請求項１に記載の人物情報取得方法。
【請求項３】
前記赤外線カメラで撮影した大人のフレーム撮像データを複数記憶させて大人のフレーム撮像の大きさの範囲を決める背丈データベースを作成し、赤外線カメラで撮影して得られた人物のフレーム撮像データを、この背丈データベースと比較して、その人物が大人であるか子供であるのかを判別し、この判別結果データをアドレス化させてパソコンの記憶装置に読出し可能に記憶させる方法が更に加わる請求項１又は２に記載の人物情報判別方法。
【請求項４】
アドレス化させた大人と子供に分けた男女の判別結果データに撮影日時を添付し、この判別結果を順次パソコン内の加算回路で集計し、この集計データをアドレス化させてパソコンの記憶装置に読出し可能に記憶させる方法が更に加わる請求項３に記載の人物情報取得方法。
【請求項５】
赤外線カメラで撮影して得られた人物のフレーム撮像データの移動方向を前記パソコンで分析して、この分析結果データをアドレス化させてパソコンの記憶装置に読出し可能に記憶させる方法が更に加わる請求項１乃至４のいずれかの項に記載の人物情報取得方法。
【請求項６】
前記赤外線カメラに赤外線監視カメラを用い、前記パソコンに該赤外線監視カメラによる撮像を遠隔場所で記録するパソコンを用いて、監視システムによる監視方法とともに稼動させる方法が更に加わる請求項１乃至５のいずれかの項に記載の人物情報取得方法。
【請求項７】
請求項１乃至６のいずれかの項に記載の人物情報取得方法を実行するプログラムが格納されているパソコン用ソフトウエア媒体。
【発明の詳細な説明】
【技術分野】
【０００１】  本発明は、赤外線カメラとこれに接続したパソコンを利用して、赤外線カメラで撮影した人物の性別を少なくとも判別して時系列で集計し、好ましくは、大人であるか子供であるかも判別して、これも合わせて集計する人物情報識別方法と、この方法を実行するプログラムが格納されたパソコン用ソフトウエア媒体に関する。
【従来技術】
【０００２】  不特定多数の来場者がある店舗及び施設では、来客数や入場者数とともに、来客や入場者の性別、世代などを把握することは、経営管理や経営戦略上、極めて有用である。
例えば、店舗では、顧客が商品を購入したときのレジ精算によって購入客数を把握することができ、有料公共施設，駅などでは、入口や改札口で入場券の半券受け取りや切符の受け取りによって入退場者数が正確に把握される。
【０００３】  このため、最近のＰＯＳレジスタには、レジ係の人が購入客の性別や世代をキー入力するためのキーが設けられているものがある。また、駅の自動改札機には、子供用の乗車料金で大人が乗車することを防止するため、子供と大人を背丈の違いを判別する光センサが設けられている。
【発明の開示】
【発明が解決しようとする課題】
【０００４】  しかしながら、上記ＰＯＳレジスタは、レジ係の人が、購入客のレジ精算をするときに、顧客が女性であるか男性であるのかを示すキー入力をしなければならず、しかも、来店者のすべてが商品を購入する訳ではないために、来店者の数を知ることができない。
このため、従来では、外見から男女の性別を自動的に判別する実用的かつ低コストで導入できるシステムがなかったため、これを知るためには、人が目視で男女を見分けて、男女ごとにカウンターで集計しなければなかった。
これは、ＰＯＳレジスタを備えた店舗だけの問題ではなく、あらゆる店舗、駅の自動改札機、多くの参拝者を迎える寺・神社、公共施設、パチンコ店、監視カメラが設備された建物などについてもいえることである。【０００５】  本発明者は、不特定多数の来店者や来場者などがある店舗及び施設において、来店者や来場者などの性別を把握する重要性があることに鑑み、どのようにすれば男女の性別を自動的に判別することができるのか、また、この判別を低コストで行うためには、どのようにすればよいのかについて、鋭意検討を重ねた。
また、発明者は、監視カメラを生かして併用できないかどうかについても検討を重ねた。そして、その結果、本発明を完成するに至った。【０００６】  本発明は、男性と女性には体表面温度分布に違いがあることから、赤外線カメラを利用して撮影した人物の体表面温度分布を熱画像で表示して、これを男性と女性の表面体温分布データベースと比較判断することにより男性と女性を判別する人物情報取得方法を提供することを課題とする。
【課題を解決するための手段】
【０００７】  本発明の請求項１の人物情報取得方法は、赤外線カメラで撮影して得られた人物のフレーム撮像データをパソコンで熱画像による体表面温度分布データ化し、これを男性と女性の表面体温分布の違いを示した熱画像パターンデータベースと比較して、その人物の性別を判別し、この判別結果データをアドレス化させてパソコンの記憶装置に読出し可能に記憶させる方法であるところに特徴がある。【０００８】  請求項１の発明方法により取得される人物情報は、赤外線カメラで撮影して得られた人における男女の性別である。体温である熱が赤外線であることは周知事項であり、人の体表面温度パターンは、血流の多さと脂肪層の厚さによって異なることも周知事項である。このため、女性を正面から赤外線カメラで撮影した撮像パターンを熱画像パターンにすると、多くの場合、体の胸部の脂肪層が厚いことから、この部分の熱画像パターンは、周波数が高い色、即ち、青色系で表示される場合が多い。これに対して男性の胸部は、脂肪層が然程厚くないために、体周波数が低い色、即ち、赤色系で表示される場合が多い。
本発明の人物情報取得方法による男女の判別は、女性の胸部周辺の熱画像が低く表れるという性質をもとに男女を見分けるようにした。【０００９】  そして、本発明方法では、この熱画像パターンを男性と女性の表面体温分布の違いを示した熱画像パターンデータベースと比較して行うようにした。この熱画像データベースは、女性と男性の体表面温度パターンをデータマップにしたもので、成年女性の胸部周辺の温度分布と、成年男性の胸部周辺の温度分布とによって、この部分の温度分布の違いと、どのような温度分布を境界にして男女を区別するのかについて決められている。【００１０】  この熱画像パターンデータベースは、成年女性の体表面温度パターンと成年男性の体表面温度パターンをベースにして、その境界を定めたパソコン用ソフトウエアであり、男女の区別は専用の画像処理ソフトにより実行される。判別結果データをアドレス化させる理由は、後の人数集計に対応できるようにするためである。【００１１】  本発明方法では、女性を正面から赤外線カメラで撮影して、女性の胸部周辺の表体温が特徴的にあらわれるようにした。男女の性別を判別する方法は、各人の体型によって体表面温度分布に違いか見られることから男女の性別の判別に正確性を欠くことは認められるが、これは集計の誤差の範囲内として認められる程度のものである。【００１２】  請求項２の人物情報取得方法では、更に、アドレス化させた男女の判別結果データに撮影日時を添付し、男女別に順次パソコン内の加算回路で集計し、この集計データをパソコンの記憶装置に読出し可能に記憶させる方法が更に加わり、これにより、店舗の来店客や施設などに入場する人を、男女別にしかも時間とともに集計することが可能になる。この集計も専用のパソコン用ソフトウエアにより実行される。【００１３】  請求項３の人物情報取得方法は、請求項１又は２に記載の人物情報取得方法において、前記赤外線カメラで撮影した大人のフレーム撮像データを複数記憶させて大人のフレーム撮像の大きさの範囲を決める背丈データベースを作成し、赤外線カメラで撮影して得られた人物のフレーム撮像データを、この背丈データベースと比較して、その人物が大人であるか子供であるのかを判別し、この判別結果データをアドレス化させてパソコンの記憶装置に読出し可能に記憶させる方法を更に加えることによって、男女の判別とその集計だけでなく、これを更に大人と子供に分けるようにした。【００１４】  そして、請求項４の人物情報取得方法では、請求項３に記載の人物情報取得方法において、アドレス化させた大人と子供に分けた男女の判別結果データに撮影日時を添付し、この判別結果を順次パソコン内の加算回路で集計し、この集計データをアドレス化させてパソコンの記憶装置に読出し可能に記憶させる方法を更に加わり、これにより、男女を大人と子供に分けて集計できるようにした。【００１５】  請求項５の人物情報取得方法では、請求項１乃至４のいずれかの項に記載の人物情報取得方法において、赤外線カメラで撮影して得られた人物のフレーム撮像データの移動方向を前記パソコンで分析して、この分析結果データをアドレス化させてパソコンの記憶装置に読出し可能に記憶させる方法が更に加わり、これ���より、店舗や施設の出入口を通過する人が、入店及び来場者なのか、退店及び退場者なのかを見分けて、正確な集計でできるようにした。この方法も、専用のパソコン用ソフトウエアに沿って実行される。【００１６】  請求項６の人物情報取得方法では、請求項１乃至５のいずれかの項に記載の人物情報取得方法において、前記赤外線カメラに赤外線監視カメラを用い、前記パソコンに該赤外線監視カメラによる撮像を遠隔場所で記録するパソコンを用いて、監視システムによる監視方法とともに稼動させる方法が更に加わる。このため、赤外線監視カメラを用いた従来の監視装置に、専用のパソコン用ソフトウエアをインストールするだけで、本発明方法が実行でき、これにより、赤外線監視カメラによる監視と、このカメラで撮影した人物を男女及び大人と子供に分けた集計が可能になる。【００１７】  請求項７のパソコン用ソフトウエア媒体は、請求項１乃至６のいずれかの項に記載の人物情報取得方法を実行するプログラムが格納されたもので、例えば、ＣＤ、メモリチップ、インターネットを経由してパソコンに入力されるソフトウエアが該当する。
【発明の効果】
【００１８】  請求項１に記載の物情報取得方法においては、赤外線カメラとパソコン及びディスプレイと、これらを結ぶ通信回線と、専用のパソコン用ソフトウエアを揃えるだけで、従来では簡易な設備で自動化出来なかった人物の男女の判別が出来るようになった。【００１９】  請求項２に記載の物情報取得方法においては、アドレス化させた男女の判別結果データに撮影日時を添付し、男女別に順次パソコン内の加算回路で集計し、この集計データをパソコンの記憶装置に読出し可能に記憶させる方法が更に加わることによって、男女ごと及び男女を合わせた人数の集計が出来るようになった。そして、この集計結果を今後の経営計画などに生かすことが出来るようになった。【００２０】  請求項３に記載の物情報取得方法においては、更に、赤外線カメラで撮影して得られた人物が、大人であるか子供であるのかも判別出来るようになった。【００２１】  そして、請求項４に記載の人物情報取得方法においては、男女を大人と子供に分け、しかも、影日時を添付して、集計することが出来るようになった。【００２２】  請求項５に記載の人物情報取得方法においては、更に、赤外線カメラで撮影して得られた人物の移動方向が判るようになり、この結果、一層正確な人の集計が出来るようになった。【００２３】  請求項６に記載の人物情報取得方法においては、赤外線監視カメラを用いた従来の監視システムをそのまま使用出来るため、低コストで本発明方法を実行することが出来るようになり、監視と合わせて人の集計が、男女及び大人と子供に分けて出来るようになった。【００２４】  そして、本発明の請求項７では、請求項１乃至６のいずれかの項に記載の人物情報取得方法を実行するプログラムが格納されているパソコン用ソフトウエア媒体にも、権利範囲が及ぶようにした。
【発明を実施するための最良の形態】
【００２５】  本発明を実施するための最良の形態は、次の実施例による人物情報取得方法であるが、必ずしもこれに限定されるものではない。
【実施例】
【００２６】  図１は本発明の１実施形態による人物情報取得方法を実施するために必要なシステムであり、このシステムは、複数台の赤外線監視カメラ１，１・・・が夫々ルータ２，２・・・に接続されて、管理者のパソコン４にインターネット通信網を経由して、各赤外線監視カメラ１，１・・・で撮影した人物Ｍ、Ｍの撮像をパソコン４内に入力できるように構成されている。３はパソコン４側に接続されているルータであり、５はディスプレイ、６はキーボード、７はマウスであり、このシステムは、監視システムの装置に、専用のパソコン用ソフトウエアをパソコン４内にインストールするだけで実行できる。【００２７】  図２は赤外線監視カメラで撮影された人物Ｍの表面体温分布を熱画像パターンで示しており、この図に見られるように、この人物Ｍの表面体温分布は、胸部周辺の色が、周波数の高い青系の色（図では淡色）で表されている。Ｆ１は撮像フレームである。【００２８】  図３（ａ）は赤外線監視カメラで撮影された人物Ｍの表面体温分布を熱画像パターンで示し、（ｂ）は男性の表面体温分布を示した熱画像パターン、（ｃ）は女性の表面体温分布を示した熱画像パターンであり、図３（ｂ）（ｃ）に示す熱画像パターンは、データベースフレームＤＢＦ１、ＤＢＦ２としてパソコン内に読出し可能に記憶されている。【００２９】  本発明の人物情報取得方法では、赤外線監視カメラで撮影した人物の撮像フレームＦ１内の熱画像パターンが、各データベースフレームＤＢＦ１、ＤＢＦ２内の熱画像パターンのいずれに近いパターンであるのかを被比較判断して、男女のいずれであるかを判断し、この判断は専用のソフトウエアに沿って実行される。このようにすると、この撮像フレームＦ１内の熱画像パターンが女性の体温分布であることが容易に判る。【００３０】  図４（ａ）は赤外線監視カメラで撮影された人物Ｍの表面体温分布を熱画像パターンで示し、（ｂ）は男性の表面体温分布を示した熱画像パターン、（ｃ）は女性の表面体温分布を示した熱画像パターンであり、この場合には、図４の（ａ）に示す撮像フレームＦ２内の熱画像パターンＦ２が男性の熱画像パターンであることが容易に判る。【００３１】  図５及び図６はいずれも赤外線監視カメラで撮影された人物Ｍの撮像を、フレーム単位で示しており、図５及び図６に示す画像（撮像）は、撮像の人物が大人であるか子供であるのかを判別するためにある。【００３２】  この撮像が大人であるか子供であるかを知る方法として、本実施形態による方法では、撮像の大きさで判別する方法で行われる。撮像フレームＦ３，Ｆ４の大きさは、赤外線監視カメラで撮影する人物の位置の遠近によって異なるため、本実施形態による方法では、撮像フレームＦ３，Ｆ４の位置を撮影画像内の基準位置Ｐ内に達しているか否かを先ず判断し、図６に示すように撮像が基準位置Ｐに達していない場合、即ち、撮影された人物が基準位置Ｐよりも離れた位置にある場合には、このフレームＦ４が基準位置Ｐに達するまで画像が拡大される。【００３３】  そして、その後、撮像フレームＦ３，Ｆ４内の人物撮像が、大人と子供のいずれであるのかが判別される。【００３４】  図７は撮像フレームＦ４内の人物が大人か子供であるのかを判別する方法を示しており、この方法では、大人と子供に合わせた大きさの撮像フレームＤＢＦ３，ＤＢＦ４と比較判断することによって行われ、例えば、撮像フレームＦ４の大きさが大人の撮像フレームＤＢＦ３と子供の撮像フレームＤＢＦ４の境界となる大きさより小さい場合には、この撮像フレームＦ４内の人物が子供であると判別される。【００３５】  図８は本実施形態による人物情報取得方法を実行するためのフロー図を示した図であり、赤外線監視カメラで撮影した人物の性別は、ステップ１〜ステップ１６に沿った方法を実行することによって行われる。
そして、男女を大人と子供に分けて判別する場合には、図８に示すステップ４を実行させた後、男女の判別と大人と子供の判別を並行して行って、その後、男女を大人と子供に分けて集計する。【００３６】  図９は更に大人と子供に分ける方法を実行するためのフロー図を示した図であり、このフロー図はステップ２０〜ステップ２０に沿って実行され、このフロー図は図８に示すフロー図に組み入れられる。
【図面の簡単な説明】
【００３７】
【図１】本発明の１実施形態による人物情報取得方法を実施するために必要なシステムを示した図である。
【図２】赤外線監視カメラで撮影された人物Ｍの表面体温分布を熱画像パターンで示した図である。
【図３】（ａ）は赤外線監視カメラで撮影された人物Ｍの表面体温分布を熱画像パターンで示し、（ｂ）は男性の表面体温分布を示した熱画像パターン、（ｃ）は女性の表面体温分布を示した熱画像パターンである。
【図４】（ａ）は赤外線監視カメラで撮影された人物Ｍの表面体温分布を熱画像パターンで示し、（ｂ）は男性の表面体温分布を示した熱画像パターン、（ｃ）は女性の表面体温分布を示した熱画像パターンである。
【図５】赤外線監視カメラで撮影された人物Ｍの撮像をフレーム単位で示した図である。
【図６】赤外線監視カメラで撮影された人物Ｍの撮像をフレーム単位で示した図である。
【図７】撮像フレームＦ４内の人物が大人か子供であるのかを判別する方法を示した図である。
【図８】本実施形態による人物情報取得方法を実行するためのフロー図を示した図である。
【図９】更に大人と子供に分ける方法を実行するためのフロー図を示した図である。
【符号の説明】
【００３８】    １    赤外線監視カメラ
２    ルータ
３    ルータ
４    パソコン
５    ディスプレイ
Ｆ１  撮像フレーム
ＤＢＦ１    熱画像パターンのデータベースフレーム
ＤＢＦ２    熱画像パターンのデータベースフレーム
ＤＢＦ３    大人の撮像フレーム
ＤＢＦ４    子供の撮像フレーム
【図１】
2008210354.tif 000003
【図２】
2008210354.tif 000004
【図３】
2008210354.tif 000005
【図４】
2008210354.tif 000006
【図５】
2008210354.tif 000007
【図６】
2008210354.tif 000008
【図７】
2008210354.tif 000009
【図８】
2008210354.tif 000010
【図９】
2008210354.tif 000011